(57)【要約】【課題】レンズユニットの装着時に、連写可能枚数を決定し、且つ撮影者に認識させる。【解決手段】デジタルカメラ１０は、カメラボディ１１及びレンズユニット１２からなる。レンズユニット１２は、特性データＳＤを格納するＲＯＭ４１ａを備えており、特性データＳＤとしては、ＣＣＤ１６の画素数などの情報を含む。レンズユニット１２がカメラボディ１１に装着状態となったとき、特性データＳＤがカメラボディ１１へ送られる。カメラボディ１１で受信された特性データＳＤは本体制御部６０へ送られる。本体制御部６０は、特性データＳＤを基に連写可能枚数を演算し、設定メモリ６１ｃに記憶するとともに、ＬＣＤ２８に連写可能枚数を表示する。【選択図】図５
2007325211.tif 000002
【特許請求の範囲】
【請求項１】
撮影レンズ、この撮影レンズによって結像された被写体像を撮影して撮像信号を出力する撮像素子、前記撮像信号を信号処理して画像データを形成する信号処理手段、及び前記画像データを外部へ転送するデータ転送手段とを備えたレンズユニットと、このレンズユニットを着脱自在に装着する装着部、前記レンズユニットの装着時に前記データ転送手段から転送される画像データを取得する画像データ取得手段、及びこれらを制御する制御手段を備え、１回のレリーズ入力に対して、前記画像データをレンズユニットから連続して複数枚取得する連写撮影モードを設けたカメラボディとからなるデジタルカメラにおいて、
前記レンズユニットは、前記撮像素子に関する情報を少なくとも含む特性データを記憶する記憶媒体を内蔵しており、前記カメラボディは、前記レンズユニットの装着時に前記記憶媒体から前記特性データを読み出し、この特性データに基づいて前記連写撮影モード時の連写可能枚数を演算する連写可能枚数演算手段を備えることを特徴とするデジタルカメラ。
【請求項２】
撮影レンズ、この撮影レンズによって結像された被写体像を撮影して撮像信号を出力する撮像素子、前記撮像信号を信号処理して画像データを形成する信号処理手段、及び前記画像データを外部へ転送するデータ転送手段とを備えたレンズユニットと、このレンズユニットを着脱自在に装着する装着部、前記レンズユニットの装着時に前記データ転送手段から転送される画像データを取得する画像データ取得手段、及びこれらを制御する制御手段を備え、１回のレリーズ入力に対して、前記画像データをレンズユニットから連続して複数枚取得する連写撮影モードを設けたカメラボディとからなるデジタルカメラにおいて、
前記レンズユニットは、前記撮像素子に関する情報を少なくとも含む特性データを記憶する記憶媒体と、前記カメラボディへの装着時に前記記憶媒体から読み出された前記特性データに基づいて前記連写撮影モード時の連写可能枚数を演算する連写可能枚数演算手段とを備えることを特徴とするデジタルカメラ。
【請求項３】
前記カメラボディは、前記連写可能枚数演算手段で連写可能枚数が決定された後、この連写可能枚数を表示する表示手段を備えることを特徴とする請求項１または２記載のデジタルカメラ。
【発明の詳細な説明】
【技術分野】
【０００１】
本発明は、デジタルカメラに関するものである。
【背景技術】
【０００２】
近年、ＣＣＤなどの撮像素子を用いて撮像した被写体画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱自在に装着可能なレンズ交換型のものとがある。
【０００３】
これまでのレンズ交換型のデジタルカメラは、従来の銀塩フイルム用カメラの交換レンズをほぼそのまま使用し、銀塩フイルムの代わりにカメラボディ側に組み込まれた撮像素子に被写体像を結像して画像データを取得するという構成が一般的だったが、最近では、撮像素子の小型化、解像度の向上が進んできていることから、従来の銀塩フイルムの既存システムを流用したものではなく、レンズ交換型のデジタルカメラの新しい構成として、撮像素子を交換レンズに組み込むことも検討されている。これによって、交換レンズとカメラボディとを光学的に接続する必要がなくなり、交換レンズとカメラボディとを電気的に接続させるだけでよいため、構造を比較的簡易にすることができるという利点を得ることができる。
【０００４】
一方、デジタルカメラでは、ＡＦ（オートフォーカス）、ＡＥ（自動露出）及びズーム機能や、オートストロボ機能、タッチパネルによる容易な操作入力など様々な機能が付加されてきており、一部のデジタルカメラでは、複数回の撮影を連続的に行う連写機能を有するものがある。このような連写機能を有するデジタルカメラでは、例えば特許文献１に記載されているように、連写撮影した画像を一時的に記録するメモリを内蔵しており、この内蔵されたメモリの容量内で可能な撮影枚数分の連写撮影を行う設定となっていることが多い。
【特許文献１】特開平８−３２９１２号公報
【発明の開示】
【発明が解決しようとする課題】
【０００５】
しかしながら、上記構成の撮像素子を備えた交換レンズを使用するデジタルカメラでは、交換レンズに組み込まれた撮像素子の画素数などによって連写可能な枚数は変わることになり、また画像を一時的に記録するメモリ容量の違いによっても連写可能な枚数が変わることになる。よって、上述のようなレンズ交換型のデジタルカメラでは、使用する交換レンズの違いによって、連写枚数の設定を容易に変更可能とし、且つ交換レンズの装着時に連写枚数の設定を撮影者が認識可能とすることが望まれている。
【０００６】
本発明は、上記事情を考慮してなされたものであり、レンズユニットの装着時に、連写可能枚数を決定することができ、また決定した連写可能枚数を撮影者に認識させることが可能なレンズ交換型のデジタルカメラを提供することを目的とする。
【課題を解決するための手段】
【０００７】
上記目的を達成するため、本発明のデジタルカメラでは、撮影レンズ、この撮影レンズによって結像された被写体像を撮影して撮像信号を出力する撮像素子、前記撮像信号を信号処理して画像データを形成する信号処理手段、及び前記画像データを外部へ転送するデータ転送手段とを備えたレンズユニットと、このレンズユニットを着脱自在に装着する装着部、前記レンズユニットの装着時に前記データ転送手段から転送される画像データを取得する画像データ取得手段、及びこれらを制御する制御手段を備え、１回のレリーズ入力に対して、前記画像データをレンズユニットから連続して複数枚取得する連写撮影モードを設けたカメラボディとからなるデジタルカメラにおいて、前記レンズユニットは、前記撮像素子に関する情報を少なくとも含む特性データを記憶する記憶媒体を内蔵しており、前記カメラボディは、前記レンズユニットの装着時に前記記憶媒体から前記特性データを読み出し、この特性データに基づいて前記連写撮影モード時の連写可能枚数を演算する連写可能枚数演算手段を備えることを特徴とする。
【０００８】
また、請求項２のデジタルカメラでは、撮影レンズ、この撮影レンズによって結像された被写体像を撮影して撮像信号を出力する撮像素子、前記撮像信号を信号処理して画像データを形成する信号処理手段、及び前記画像データを外部へ転送するデータ転送手段とを備えたレンズユニットと、このレンズユニットを着脱自在に装着する装着部、前記レンズユニットの装着時に前記データ転送手段から転送される画像データを取得する画像データ取得手段、及びこれらを制御する制御手段を備え、１回のレリーズ入力に対して、前記画像データをレンズユニットから連続して複数枚取得する連写撮影モードを設けたカメラボディとからなるデジタルカメラにおいて、前記レンズユニットは、前記撮像素子に関する情報を少なくとも含む特性データを記憶する記憶媒体と、前記カメラボディへの装着時に前記記憶媒体から読み出された前記特性データに基づいて前記連写撮影モード時の連写可能枚数を演算する連写可能枚数演算手段とを備えることを特徴とする。なお、前記カメラボディは、前記連写可能枚数演算手段で連写可能枚数が決定された後、この連写可能枚数を表示する表示手段を備えることが好ましい。
【発明の効果】
【０００９】
本発明のデジタルカメラでは、撮像素子に関する情報を少なくとも含む特性データを記憶する記憶媒体をレンズユニットに内蔵し、レンズユニットの装着時に記憶媒体から特性データを読み出し、この特性データに基づいて連写撮影モード時の連写可能枚数を演算する連写可能枚数演算手段をカメラボディに備えているので、撮像素子の画素数など特性データが異なる複数のレンズユニットを使用可能であり、これら複数の中から選択したレンズユニットをカメラボディに装着した時に連写可能枚数を決定することができ、ユーザーが連写撮影枚数の設定を行う際の入力操作を容易にすることが可能となる。
【００１０】
また、請求項２記載のデジタルカメラでは、特性データを記憶する記憶媒体と、カメラボディへの装着時に記憶媒体から読み出された特性データに基づいて前記連写撮影モード時の連写可能枚数を演算する連写可能枚数演算手段とをレンズユニットに備えているので、特性データが異なる複数のレンズユニットを使用可能であり、これらの中から選択したレンズユニットをカメラボディに装着した時に連写枚数を決定することができる。さらにまた、連写可能枚数演算手段で連写可能枚数が決定された後、この連写可能枚数を表示する表示手段をカメラボディに備えることで、撮影者に連写可能枚数を容易に認識させることができる。
【発明を実施するための最良の形態】
【００１１】
以下、図面を参照して、本発明を適用したデジタルカメラについて説明する。図１において、デジタルカメラ１０は、カメラボディ１１とレンズユニット１２とから構成されたカメラシステムであり、レンズユニット１２は、カメラボディ１１に着脱自在に装着される。
【００１２】
レンズユニット１２の前面には、撮影レンズ１３が露呈されており、背面にはマウント部１４が設けられている。このマウント部１４は、３つのバヨネット爪１５を備え、これらが外周に沿って等間隔に配置されている。また、このレンズユニット１２内には、撮影レンズ１３によって結像された被写体像を撮像する固体撮像素子であるＣＣＤイメージセンサ（以下、単にＣＣＤと称する）１６が設けられている。
【００１３】
また、カメラボディ１１の前面には、マウント部１８が設けられている。このマウント部１８は、３つのバヨネット溝１９を備えており、これらは外周に沿って等間隔に配置されている。バヨネット爪１５をバヨネット溝１９に位置合わせして押し込み、レンズユニット１２を時計回りに回転させることによって、レンズユニット１２がカメラボディ１１に装着される。
【００１４】
なお、レンズユニット１２としては、撮影レンズ１３の焦点距離が異なるものや、ＣＣＤ１６の画素数が異なるもの、モノクロ撮影が可能なもの、赤外線撮影が可能なものなど、各種タイプが交換可能に用意される。
【００１５】
マウント部１８には、ロックピン２０が設けられており、レンズユニット１２がカメラボディ１１に装着された時に、このロックピン２０が、レンズユニット１２の背面に形成されたピン孔（図示せず）と係合して、レンズユニット１２の回転がロックされる。これにより、レンズユニット１２が回転してカメラボディ１１から脱落することが防止される。
【００１６】
また、マウント部１８には、前方に向かってバネ付勢されたマウント蓋２１が設けられており、これは、レンズユニット１２が装着されていないときにカメラボディ１１内に塵埃が侵入することを防止している。
【００１７】
マウント部１８の近傍には、ロック解除ボタン２２が設けられている。レンズユニット１２がカメラボディ１１に装着された状態で、このロック解除ボタン２２が押圧操作されると、この操作に連動してロックピン２０が後方に移動し、ロックピン２０とピン孔（図示せず）との係合が解除される。ロック解除ボタン２２を押圧しながら、レンズユニット１２を反時計回りに回転させることによって、レンズユニット１２をカメラボディ１１から取り外すことができる。
【００１８】
カメラボディ１１の前面上部には、ストロボ２４が設けられている。また、カメラボディ１１の上面には、撮影を行う際に押圧操作されるシャッタボタン２５、および、デジタルカメラ１０の動作モードを切り替える際に回転操作されるモード選択ダイヤル２６が設けられている。さらに、図２に示すように、カメラボディ１１の背面には、電源スイッチ２７、および画像表示装置としてのＬＣＤ（Ｌｉｑｕｉｄ  Ｃｒｙｓｔａｌ  Ｄｉｓｐｌａｙ）２８、及びカーソルボタン２９が設けられている。
【００１９】
このデジタルカメラ１０では、モード切り換えダイヤル２６の操作によって切り換えられる動作モードとして、通常撮影モード、連写撮影モード、撮影済みの画像を再生してＬＣＤ１５に表示する再生モード、及び各種設定を変更するための設定モードなどを実行することができる。
【００２０】
前述のバヨネット爪１５の背面には、図３に示すように、マウント接点群３０が設けられている。このマウント接点群３０は、２４個の接点ＰＬ１〜ＰＬ２４で構成され、各バヨネット爪１５に８個ずつ設けられている。
【００２１】
また、マウント部１８には、図４に示すように、マウント接点群３１が設けられている。このマウント接点群３１は、前述のマウント接点群３０と同様に、２４個の接点ＰＢ１〜ＰＢ２４で構成され、各接点ＰＢ１〜ＰＢ２４は、レンズユニット１２がカメラボディ１１に装着された際に、接点ＰＬ１〜ＰＬ２４の各々と接続される位置に配置されている。
【００２２】
次に、レンズユニット１２の電気的構成について説明する。図５において、レンズユニット１２には、ユニット内の各部を制御するユニット制御部４０が設けられている。メモリ部４１は、制御プログラムなどが記憶されたＲＯＭ４１ａと、画像データおよび作業用データを一時的に記憶するＲＡＭ４１ｂとからなる。ユニット制御部４０は、制御プログラムに基づき、バス４２を介して各部を制御する。
【００２３】
さらに、本実施形態では、ＲＯＭ４１ａには、制御プログラムとともに、レンズユニット１２に関する特性データＳＤが格納されている。この特性データＳＤとしては、ＣＣＤ１６の画素数、あるいはＲＡＭ４１ｂの記憶容量などレンズユニット１２に関する情報が含まれている。
【００２４】
撮影レンズ１３の後方に設けられたＣＣＤ１６は、タイミングジェネレータ（ＴＧ）４３によって駆動される。ＣＣＤ１６は、撮影レンズ１３によって結像された被写体像を光電変換によって電気信号に変換し、撮像信号を出力する。また、ＣＣＤ１６は、例えば、Ｒ（赤）、Ｇ（緑）、Ｂ（青）の原色カラーフィルタが積層された有効画素領域と、遮光されたオプティカルブラック（ＯＢ）領域とを有し、撮像信号には、有効画素領域からのＲＧＢ色信号と、ＯＢ領域からのノイズ信号とが含まれている。ＣＣＤ１６から出力された撮像信号は、アナログ信号処理部４４に入力される。
【００２５】
アナログ信号処理部４４は、相関二重サンプリング回路（ＣＤＳ）やオートゲインコントロール・アンプ（ＡＧＣ）などを備え、入力された撮像信号に対してノイズ除去や、増幅処理、欠陥画素の保管処理などを施す。アナログ信号処理部４４から出力された撮像信号は、Ａ／Ｄ変換器４５に入力される。Ａ／Ｄ変換器４５は、入力されたアナログの撮像信号を、所定のビット数のデジタル信号に変換し、画像データとして出力する。この画像データは、ＲＡＷデータと称されるものであり、バス４２を介して一旦、メモリ部４１のＲＡＭ４１ｂに格納される。なお、アナログ信号処理部４４およびＡ／Ｄ変換器４５は、ＴＧ４３によって駆動され、ＣＣＤ１６の動作と同期が取られている。
【００２６】
ＡＥ／ＡＦ検出部４６は、ＲＡＭ４１ｂに格納された画像データに基づき、露出が最適となるＡＥ評価値を算出して、これをユニット制御部４０に入力する。また、ＡＥ／ＡＦ検出部４６は、画像データの高周波成分を積分してＡＦ評価値を算出し、これをユニット制御部４０に入力する。ユニット制御部４０は、ＡＥ評価値に基づいて、ＣＣＤ１６の電子シャッタ速度および絞り（図示せず）を制御し、ＡＥ動作を行う。また、ユニット制御部４０は、ＡＦ検出値に基づいて、撮影レンズ１３のレンズモータ（図示せず）を制御し、ＡＦ動作を行う。
【００２７】
デジタル信号処理部４７は、ＲＡＭ４１ｂに一時格納された画像データ（ＲＡＷデータ）に所定の信号処理を施す。なお、本実施形態では、データ圧縮モードの種類によって信号処理の過程が異なっており、例えば、ＲＡＷモード下では、信号処理が施されずにＲＡＷデータが出力され、また、低圧縮モード下では、ＲＡＷデータに対して各種補正処理を施し、さらにＹＣ分離処理を施して輝度信号（Ｙ）と色差信号（Ｃｂ，Ｃｒ）とからなるＹＣデータとして出力し、また、高圧縮モード下では、ＹＣデータにさらにＪＰＥＧ形式などの圧縮処理を施した圧縮データとして出力する。
【００２８】
デジタル信号処理部４７は、オフセット補正部、ホワイトバランス（ＷＢ）補正部、ガンマ補正部、ＲＧＢ補間処理回路、ＹＣ変換部、および圧縮処理部などからなる。オフセット補正部は、ＲＡＷデータに対して、ＲＧＢ色信号からノイズ信号を減算するオフセット補正を行い、ＲＧＢ色信号のみとする。ＷＢゲイン補正部はＲＧＢ色信号の各色のバランスをゲイン補正し、被写体の白色が正確に再現されるようにＷＢ補正を行い、ガンマ補正部は、ＲＧＢ色信号を、所定のガンマ変換パラメータに従って階調変換する。ＲＧＢ補間処理回路は、ＲＧＢ色信号を補間演算して、各画素位置に対してＲＧＢの３色の信号を生成し、ＲＧＢ色信号を完全なカラー画像データとする。ＹＣ変換部は、所定の変換式を利用して、ＲＧＢのカラー画像データをＹＣデータに変換する。
【００２９】
ＹＣ変換部から出力されたＹＣデータは、そのまま出力されてＲＡＭ４１ｂに格納されるか、あるいは、圧縮処理部に入力される。圧縮処理部は、入力されたＹＣデータをＪＰＥＧなどの圧縮形式に基づいて圧縮処理を行う。圧縮処理部から出力された圧縮データは、ＲＡＭ４１ｂに格納される。なお、詳しくは後述するが、ＲＡＷデータ、ＹＣデータまたは圧縮データへの変換処理が施され、ＲＡＭ４１ｂに一時格納された画像データが、シリアルドライバ５４ａにより、マウント接点群３０を介してカメラボディ１１に転送される。
【００３０】
本実施形態では、カメラボディ１１との通信手段として２つのシリアルドライバ５４ａ，５４ｂを備えており、後述するカメラボディ１１のシリアルドライバ６３ａ，６３ｂと、マウント接点群３０，３１を介してシリアル回線により接続されている。高速通信を行うための高速シリアルドライバ５４ａは、例えばＬＶＤＳ（Low Voltage Differential Signaling）方式のものが用いられ、転送対象のデータをパラレル信号からシリアル信号に変換してカメラボディ１１に送信する。本実施形態では、画像データなど、データ量の多いものはこれら高速シリアルドライバ５４ａによって送信される。また、高速シリアルドライバ５４ａよりも通信速度の遅い汎用シリアルドライバ５４ｂとしては、ＵＡＲＴ（Universal Asynchronous Receiver Transmitter）方式のものが用いられ、転送対象のデータをパラレル信号からシリアル信号に変換してカメラボディ１１に送信するとともに、カメラボディ１１から転送されたデータを受信し、シリアル信号からパラレル信号に変換する。
【００３１】
さらに、マウント接点群３０には、電源制御部５５およびＤＣ／ＤＣコンバータ５６が接続されている。ＤＣ／ＤＣコンバータ５６は、マウント接点群３０を介してカメラボディ１１から給電される。電源制御部５５は、ＤＣ／ＤＣコンバータ５６を制御して、カメラボディ１１から供給される電圧を所定値まで降圧させて、レンズユニット１２内の各部に供給させる。
【００３２】
次に、カメラボディ１１の電気的構成について説明する。図５に示すように、カメラボディ１１には、本体内の各部を制御する本体制御部６０が設けられている。メモリ部６１は、制御プログラムが記憶されたＲＯＭ６１ａと、画像データおよび作業用データを一時的に記憶するＲＡＭ６１ｂと、各種設定などが書き込まれる設定メモリ６１ｃからなる。本体制御部６０は、この制御プログラムに基づき、バス６２を介して各部を制御する。なお、設定メモリ６１ｃとしては、フラッシュＲＯＭなど書き込み可能な記憶媒体などからなる。
【００３３】
シリアルドライバ６３ａ，６３ｂはマウント接点群３１に接続されており、高速シリアルドライバ６３ａは、レンズユニット１２の高速シリアルドライバ５４ａと同じ規格のものが使用され、高速シリアルドライバ５４ａによってレンズユニット１２から転送されたデータを受信し、シリアル信号からパラレル信号に変換する。また汎用シリアルドライバ６３ｂは、レンズユニット１２の汎用シリアルドライバ５４ｂと同じ規格のものが使用され、転送対象のデータをパラレル信号からシリアル信号に変換してレンズユニット１２に送信し、また、レンズユニット１２から転送されたデータを受信し、シリアル信号からパラレル信号に変換する。
【００３４】
また、シリアルドライバ６３ａ，６３ｂは、メモリ部６１に対してＤＭＡ（Direct Memory Access）転送を行うように構成され、シリアルドライバ６３ａ，６３ｂが受信したデータは、ＤＭＡ転送よって、本体制御部６０を介さずにメモリ部６１のＲＡＭ６１ｂに転送される。
【００３５】
圧縮伸張処理部６４は、レンズユニット１２から受信した画像データがＹＣデータである場合に、ＪＰＥＧなどの方式で圧縮処理を施す。また、この圧縮伸張処理部６４は、後述する記録メディア６５に記録された画像データを再生する場合に、その画像データが圧縮されていれば伸長処理を施す。
【００３６】
ＬＣＤドライバ６６には、レンズユニット１２から受信したスルー画用の画像データや、記録メディア６５に記録された画像データが入力され、ＬＣＤ２８にスルー画や、再生画像を表示させる。
【００３７】
メディアコントローラ６８は、レンズユニット１２から受信した記録用の画像データを記録メディア６５に記録するとともに、記録メディア６５に記録された画像データの読み出しを行う。なお、記録メディア６５は、例えば、カメラボディ１１に対して着脱自在に装填されるメモリカードである。
【００３８】
電源制御部６９には、バッテリ７０、ＤＣ／ＤＣコンバータ７１、および電源スイッチ２７が接続されており、バッテリ７０とＤＣ／ＤＣコンバータ７１とは、互いに接続されている。電源制御部６９は、電源スイッチ２７から入力される操作信号に応じてＯＮ／ＯＦＦされ、ＯＮ信号が入力された際に、ＤＣ／ＤＣコンバータ７１を制御し、バッテリ７０から供給される電圧を所定値まで降圧させて、カメラボディ１１内の各部へ供給させる。また、バッテリ７０は、マウント接点群３１に接続されており、レンズユニット１２側にも電源供給を行う。
【００３９】
Ｉ／Ｏポート７３は、マウント接点群３１に接続されプルアップされた入力端子と、マウント接点群３１に接続された出力端子とからなる。Ｉ／Ｏポート７３の入力端子は、レンズユニット１２側の接地されたマウント接点群３０と接続される。本体制御部６０は、Ｉ／Ｏポート７３の入力端子が接地電位となることで、レンズユニット１２の装着を検出する。
【００４０】
また、Ｉ／Ｏポート７３の出力端子は、レンズユニット１２側の電源制御部５５に接続されたマウント接点群３０と接続される。本体制御部６０は、レンズユニット１２の装着を検出した場合には、電源制御部５５に電源制御信号を与え、ＤＣ／ＤＣコンバータ５６に給電を行わせる。
【００４１】
さらに、本実施形態では、本体制御部６０は、連写撮影モード時の連写可能枚数を演算する連写可能枚数演算手段として機能する。レンズユニット１２から特性データＳＤがカメラボディ１１へ転送されたとき、本体制御部６０は、この特性データＳＤ及びカメラボディ１１のＲＡＭ６１ｂの空き容量、及びデータ圧縮モードなどに基づいて連写可能枚数を算出する。この連写可能枚数の演算方法としては、例えば、特性データＳＤに含まれるＣＣＤ１６の画素数データに反比例する所定の演算式を利用して、あるいはＣＣＤ１６の画素数に対応する連写可能枚数のデータテーブルを利用するなどして連写可能枚数を演算する。そして本体制御部６０は連写可能枚数の演算を完了すると、設定メモリ６１ｃに連写可能枚数を書き込むとともに、ＬＣＤ２８に連写可能枚数を表示させる。
【００４２】
シャッタボタン２５は、レンズユニット１２が装着された際に、マウント接点群３０，３１を介して、ユニット制御部４０に接続されるとともに、本体制御部６０に接続されている。シャッタボタン２５は、半押しされた時にシャッタ信号Ｓ１を出力し、全押しされた時にレリーズ入力としてのシャッタ信号Ｓ２を出力する。ユニット制御部４０は、レンズユニット１２内の各部を制御し、シャッタ信号Ｓ１を受信した際に、ＡＦなどの撮影準備動作を行わせ、シャッタ信号Ｓ２を受信した際に、撮影動作を行わせ、撮影画像（記録用の画像データ）をカメラボディ１１へ出力する。カメラボディ１１は、撮影画像を受信すると、必要に応じて圧縮処理を施し、記録メディア６５に記録する。
【００４３】
本実施形態では、連写撮影モード下でシャッタボタン２５の全押しシャッタ信号Ｓ２を１回受信するごとに、予め入力された連写実行枚数に応じた複数回の撮影を連続して行い、それぞれの撮影から取得された画像データをカメラボディ３へ転送して保存する連写撮影を実行する。なお、通常撮影モード下では、１回のシャッタ信号Ｓ２に対して１回の撮影を行って画像データを取得する。
【００４４】
ストロボ制御部７４は、前述のストロボ２４の発光量を制御する。撮影時においてストロボ発光が必要な場合、本体制御部６０は、シャッタボタン２５から入力されるシャッタ信号Ｓ２に応じて、ストロボ制御部７４を制御し、ストロボ２４に発光を行わせる。
【００４５】
本実施形態の作用について、図６に示すフローチャートに沿って説明する。デジタルカメラ１０を使用するときには、先ず撮影者は複数のレンズユニット１２の中から使用目的にあったものを選択してカメラボディ１１に装着し、カメラボディ１１の電源スイッチ２７をオン状態にする。電源オン状態になると、カメラボディ１１の各部に電力が供給されるとともに、接点群３０，３１を介してレンズユニット１２の各部にも電力が供給される。さらに、接点群３０，３１が互いに接続されることでＩ／Ｏポート７３の入力端子が接地電位となり、これを検出した本体制御部６０は、レンズユニット１２が装着状態であることを認識する。続いてユニット制御部４０は、ＲＯＭ４１ａから特性データＳＤを読み出して、カメラボディ１１へ転送させる。レンズユニット１２から転送されてきた特性データＳＤがカメラボディ１１で受信され、本体制御部６０に送られると、本体制御部６０は特性データＳＤのうちＣＣＤ１６の画素数データに基づいて連写可能枚数の演算を行う。なお、この演算を行う場合、例えば、ＣＣＤ１６の画素数に応じた連写可能枚数で必要な記憶容量に対して、記録メディア６５の空き容量が少ない場合、本体制御部６０はこの空き容量を超えないように再度連写可能枚数を演算する。そして本体制御部６０で演算された連写可能枚数は、設定メモリ６１ｃに記憶される。さらにＬＣＤドライバ６６が制御され、連写可能枚数を含む設定画面がＬＣＤ２８に表示される。このときの設定画面７５には、例えば図２に示すように、圧縮無しのＲＡＷモードでは６枚、低圧縮モードでは２８枚、高圧縮モードでは５６枚などといったように各データ圧縮モードに応じた連写可能枚数７６ａ〜７６ｃが表示される。なお、連写可能枚数については、上記の数値に限らず、ＣＣＤの画素数、ＲＡＭや記憶メディアの容量によって適宜変更されるものであり、また、データ圧縮モードについても、上述した種類のものに限らない。
【００４６】
ユーザーは、ＬＣＤ２８に表示された連写可能枚数を確認して、データ圧縮モード及び連写実行枚数を入力する。このデータ圧縮モード及び連写実行枚数を入力するときには、図２に示すように、データ圧縮モードを示す複数の表示があり、このうちの１つが選択中であることを示すように、ハッチング表示７７あるいは色違い表示など他のものと異なる表示になっており、このハッチング表示７７などの位置をカーソルボタン２９の上下方向を指定するキー２９ａ，２９ｂを押圧操作することで変更し、データ圧縮モードの選択を行う。さらに、連写実行枚数の入力を行うときには、データ圧縮モードに応じた連写可能枚数７６ａ〜７６ｃが表示され、その隣が連写可能枚数の入力スペース７８ａ〜７８ｃとなっており、カーソルボタン２９の左右方向を指定するキー２９ｃ，２９ｄを押圧操作することによって、入力スペース７８ａ〜７８ｃの数値が変化し、各データ圧縮モードに応じた連写可能枚数７６ａ〜７６ｃ以下の連写実行枚数を入力することができる。なお、連写実行枚数の入力手段としてはカーソルボタンによるものに限らず、例えばダイヤル式操作部材や、テンキーなどの数字を示す複数のキー、あるいはタッチパネルなど数値を入力可能な手段であればよい。このようにして入力された連写実行枚数が設定メモリ６１ｃに書き込まれる。
【００４７】
連写実行枚数の入力を行った後、モード選択ダイヤル２６を操作して動作モードを選択し、撮影を開始する。動作モードとして、例えば連写撮影モードが選択されたとき、上述した連写実行枚数が設定メモリ６１ｃから読み出され、ユニット制御部４０へ転送される。そして、ＣＣＤ１６から出力された撮像信号に基づく画像データがカメラボディ１１へ転送され、ＬＣＤドライバ６６を介してスルー画像としてＬＣＤパネル６７に表示される。ユーザーは、ＬＣＤパネル６７を電子ビューファインダとして表示画像を観察してフレーミングを行う。ユーザーが連写撮影を実行しようとする場合には、先ずシャッタボタン２５を半押し操作すると半押し信号Ｓ１が出力され、これに応じてＡＥ処理及びＡＦ処理がスタートする。そしてユーザーがシャッタボタン２５を全押し操作して全押し信号Ｓ２が出力されると、連写撮影が実行、すなわちユニット制御部４０へ転送された連写実行枚数に基づいてレンズユニット１２の各部が作動し、１回の全押し信号Ｓ２に対して連写実行枚数分の撮影が連続して行われる。そしてこの連写撮影に応じて出力された連写実行枚数分の画像データがレンズユニット１２からカメラボディ１１に送信され、圧縮処理の無いＲＡＷデータあるいは圧縮処理が施された圧縮データとなって記録メディア６５に書き込まれる。
【００４８】
このようにして、レンズユニット１２から転送されてくる特性データに応じてカメラボディ１１で連写可能枚数を演算し、連写撮影を実行しているので、レンズユニット１２の種類に応じて連写可能枚数を容易に決定し、この連写可能枚数に応じた連写撮影を実行することができる。
【００４９】
なお、上記第１実施形態においては、レンズユニットからカメラボディへ特性データを転送し、この特性データに基づいてカメラボディの連写可能枚数演算手段で連写可能枚数を演算しているが、これに限るものではなく、以下で説明する本発明の第２実施形態では、レンズユニットに内蔵される演算手段によって連写可能枚数を演算した後、カメラボディに転送する構成としている。この第２実施形態を適用したデジタルカメラ８０の構成を図７に示す。なお、上記第１実施形態と同様の部品などを用いている場合は同符号を付して説明を省略する。
【００５０】
デジタルカメラ８０は、カメラボディ８１及びレンズユニット８２とからなり、レンズユニット８２は、ＲＯＭ８３ａ、ＲＡＭ８３ｂ、及び設定メモリ８３ｃからなるメモリ部８３を備えており、さらにレンズユニット８２の各部を制御するユニット制御部８４が、カメラボディ８１への装着時に連写可能枚数を演算する連写可能枚数演算手段として機能する。すなわち、ユニット制御部８４は、カメラボディ８１への装着時に、カメラボディ８１から転送されてくる基本情報データ、及びＲＯＭ８３ａから読み出された特性データＳＤなどに基づいて連写可能枚数を演算する。なお、この連写可能枚数の演算方法としては上記第１の実施形態と同様に行う。そして、ユニット制御部８３で演算された連写可能枚数を設定メモリ８３ｃに書き込むとともに、連写可能枚数をカメラボディ８１へ転送する。
【００５１】
レンズユニット８２から送られてきた連写可能枚数がカメラボディ８１で受信されるとカメラボディ８１の本体制御部８５は、この連写可能枚数を含む設定画面をＬＣＤ２８に表示させる。そして上記第１実施形態と同様に連写実行枚数が入力され、この連写実行枚数がレンズユニット８２に転送される。レンズユニット８２に送られた連写実行枚数は設定メモリ８３ｃに書き込まれる。連写撮影が実行されるときには設定メモリ８３ｃから連写実行枚数が読み出され、その枚数に応じた連写撮影が実行される。
【００５２】
本実施形態の作用について図８に示すフローチャートに沿って説明する。デジタルカメラ８０を使用するときには、レンズユニット８２をカメラボディ８１に装着し、カメラボディ８１の電源スイッチ２７をオン状態にする。電源オン状態になると、カメラボディ８１、レンズユニット８２の各部に電力が供給され、本体制御部８５及びユニット制御部８４が起動状態となる。さらに、Ｉ／Ｏポート７３からカメラボディ８１に対してレンズユニット８２が装着状態であることを認識した本体制御部８５は、ＲＡＭ６２ｂの容量、記録メディア６５の空き容量などの基本情報データをレンズユニット８２のユニット制御部８４に送信する。そして基本情報データを受信したユニット制御部８４は、ＲＯＭ８３ａから特性データＳＤを読み出し、基本情報データとともに連写可能枚数の演算を開始する。このようにしてユニット制御部８４で演算された連写可能枚数が本体制御部８５へ送信される。連写可能枚数を受信した本体制御部８５は、連写可能枚数を含む設定画面をＬＣＤ２８に表示させる。設定画面では、上記第１実施形態と同様にして連写実行枚数の入力が行われ、入力された連写実行枚数はレンズユニット８２に転送され、設定メモリ８３ｃに書き込まれる。連写実行枚数の入力後、動作モードが選択され、撮影が実行される。そして、連写撮影モードが選択されたときは、ユニット制御部８４が設定メモリ８３ｃから連写実行枚数を読み出し、１回のシャッタ信号Ｓ２に対して連写実行枚数に応じた連写撮影が実行されて連写実行枚数分の画像データが取得される。
【００５３】
なお、上記第１及び第２実施形態では、本体制御部又はユニット制御部がそれぞれ連写可能枚数演算手段としての機能を兼ねているが、本発明はこれに限るものではなく、連写可能枚数を演算する演算部を本体制御部又はユニット制御部とは別に設け、カメラボディ、又はレンズユニットにそれぞれ組み込むようにしてもよい
【図面の簡単な説明】
【００５４】
【図１】本発明を適用したデジタルカメラの外観斜視図である。
【図２】デジタルカメラの背面図である。
【図３】レンズユニットの背面側の構成を示す平面図である。
【図４】カメラボディのマウント部の構成を示す平面図である。
【図５】本発明を適用したデジタルカメラの概略的構成を示すブロック図である。
【図６】連写可能枚数の演算処理を説明するフローチャートである。
【図７】第２実施形態の概略的構成を示すブロック図である。
【図８】第２実施形態の連写可能枚数の演算処理を説明するフローチャートである。
【符号の説明】
【００５５】
１０，８０  デジタルカメラ
１１，８１  カメラボディ
１２，８２  レンズユニット
１６  ＣＣＤイメージセンサ
４０  ユニット制御部
６０  本体制御部（連写可能枚数演算手段）
ＳＤ  特性データ
８４  ユニット制御部（連写可能枚数演算手段）
８５  本体制御部
【図１】
2007325211.tif 000003
【図２】
2007325211.tif 000004
【図３】
2007325211.tif 000005
【図４】
2007325211.tif 000006
【図５】
2007325211.tif 000007
【図６】
2007325211.tif 000008
【図７】
2007325211.tif 000009
【図８】
2007325211.tif 000010